(57)【要約】【課題】  高精度に釘が植設された遊技盤を有する遊技機を提供する。【解決手段】  遊技盤はベニヤ板４２０と光透過性の透明樹脂板４００とを備え、透明樹脂板４００は、役物設置用開口部をルータ加工形成するルータ加工機の位置決め部と、釘打ち機の位置決め部（第２凸部４６０）との両方に嵌合する凹部であって、両嵌合軸心を同一軸心とする共用嵌合凹部４０２を有する突起部４０３を備え、ベニヤ板４２０は、役物設置用開口部をルータ加工形成するルータ加工機の位置決め部と、透明樹脂板４００の突起部４０３との両方に嵌合する嵌合孔であって、両嵌合軸心を同一軸心とする共用嵌合孔４２２を備えているので、役物設置用開口部に対する釘４３０の位置関係を適正なものとすることができ、高精度に釘４３０が植設された遊技盤を製造でき、高精度に釘４３０が植設された遊技盤を有するパチンコ機を提供することができる。【選択図】        図１１
2006212316.tif 000002
【特許請求の範囲】
【請求項１】
遊技球が打ち込まれる遊技領域を有する遊技盤を備えた遊技機において、
前記遊技盤は、
正面視した状態で遊技領域を含む大きさの板状部材と、
前記板状部材の前面側で当該板状部材の遊技領域を少なくとも覆うようにしてこの板状部材に重ね合わされる、光透過性の薄板部材と、
を備え、かつ、前記薄板部材が前記板状部材に重ね合わされた状態で、遊技領域を流下する遊技球の挙動に変化を与えるための釘が前記薄板部材の前面側から打ち付け固定されるものであり、
前記薄板部材は、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とする共用嵌合部を有する突起部を備え、
前記板状部材は、前記役物設置用開口部を形成する開口加工を行う形状加工機の位置決め部と、前記薄板部材の前記突起部との両方に嵌合する嵌合孔であって、両嵌合軸心を同一軸心とする共用嵌合孔を備えている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、遊技球が打ち込まれる遊技領域を有する遊技盤を備えている。一般的には、この遊技盤は、正面視で略四角形状のベニヤ板と、このベニヤ板の前面側の略全面に貼り付けられる、パチンコ機の機種を表すデザインが施されたセルシートと、このセルシートが貼り付けられた状態のベニヤ板の当該セルシート面側に植設された複数本の釘と、同セルシート面側に配設された各種の入賞口などの遊技部品等とを備えている（例えば、特許文献１参照）。なお、ベニヤ板は、ルータ加工により、前記の遊技部品を取り付けるための所定の形状の貫通開口部（以下、適宜に「役物設置用開口部」と呼ぶ）が形成されている。
【０００３】
また、近年では、ルータ加工後のベニヤ板の前面にセルシートを貼り合わせ、そのベニヤ板の前面側にさらにルータ加工（役物設置用開口部を形成するためのルータ加工）後の透明樹脂板を配置することによって、遊技盤の遊技領域を装飾することが考えられる。このような遊技盤は、次のような方法で製造される。つまり、ベニヤ板と透明樹脂板とは、役物設置用開口部を形成するように、それぞれのルータ加工機によりルータ加工される。その後、ベニヤ板と透明樹脂板とを合わせて固定した状態で釘打ち機の載置台に位置決め載置され、遊技球の流下に挙動を与えるための釘を釘打ち機により透明樹脂板の前面側から打ち付けるという製造方法である。
【特許文献１】特開２００４−１６０２５８号公報（第５頁，第１図）
【発明の開示】
【発明が解決しようとする課題】
【０００４】
しかしながら、このような構成を有する従来例の場合には、次のような問題がある。
すなわち、従来のパチンコ機では、透明樹脂板とベニヤ板とが合わされた状態で固定部材によりで固定されることで両者が位置決め固定され、釘打ち機の載置台のボス（突出ピン）をベニヤ板の位置決め穴に挿入することでベニヤ板と釘打ち機との位置決めが行われるが、透明樹脂板とベニヤ板とがずれた状態で合わされて固定部材で固定された場合には、たとえベニヤ板の位置決め穴に釘打ち機の載置台のボスを挿入してベニヤ板と釘打ち機との位置決めを行ったとしても、透明樹脂板での釘の打ち付け位置が予定していた位置とずれた状態で打ち付けられる。このように、透明樹脂板での予定していた位置からずれた位置に釘が打ち付けられると、この釘打ち工程よりも前に行われたルータ工程での役物設置用開口部などに対する釘の位置関係が合わなくなり、高精度に釘が植設された遊技盤を製造できないという問題がある。
【０００５】
なお、上述した問題は、透明樹脂板を設けることで初めて生じてきた問題である。つまり、透明樹脂板を有さずベニヤ板で構成される遊技盤では、ベニヤ板の基準穴をルータ加工機に位置合わせしてルータ加工を施し、その後、ベニヤ板の基準穴を釘打ち機に位置合わせして釘打ち付けを行っていたので、ベニヤ板の基準穴をルータ加工機と釘打ち機とで位置決め穴として共通使用しており、役物設置用開口部に対する釘打ちのずれが生じていない。これに対して、透明樹脂板とベニヤ板とで構成される遊技盤では、透明樹脂板とベニヤ板との位置合わせと、ベニヤ板と釘打ち機との位置合わせとが、それぞれ異なる別部分で行うことが原因となっており、ベニヤ板以外の板材（透明樹脂板）の存在により初めて生じてきた問題である。
【０００６】
本発明は、このような事情に鑑みてなされたものであって、高精度に釘が植設された遊技盤を有する遊技機を提供することを目的とする。
【課題を解決するための手段】
【０００７】
この発明は、このような目的を達成するために、次のような構成をとる。
すなわち、請求項１に記載の発明は、
遊技球が打ち込まれる遊技領域を有する遊技盤を備えた遊技機において、
前記遊技盤は、
正面視した状態で遊技領域を含む大きさの板状部材と、
前記板状部材の前面側で当該板状部材の遊技領域を少なくとも覆うようにしてこの板状部材に重ね合わされる、光透過性の薄板部材と、
を備え、かつ、前記薄板部材が前記板状部材に重ね合わされた状態で、遊技領域を流下する遊技球の挙動に変化を与えるための釘が前記薄板部材の前面側から打ち付け固定されるものであり、
前記薄板部材は、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とする共用嵌合部を有する突起部を備え、
前記板状部材は、前記役物設置用開口部を形成する開口加工を行う形状加工機の位置決め部と、前記薄板部材の前記突起部との両方に嵌合する嵌合孔であって、両嵌合軸心を同一軸心とする共用嵌合孔を備えている
ことを特徴とするものである。
【０００８】
［作用・効果］請求項１に記載の発明によれば、遊技球が打ち込まれる遊技領域を有する遊技盤は、正面視した状態で遊技領域を含む大きさの板状部材の前面側に、当該板状部材の遊技領域を少なくとも覆うようにして光透過性の薄板部材を重ね合わせた状態で、遊技領域を流下する遊技球の挙動に変化を与えるための釘が薄板部材の前面側から打ち付け固定されるものであり、薄板部材の突起部に備えられた共用嵌合部は、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とするものである。板状部材に備えられた共用嵌合孔は、役物設置用開口部を形成する開口加工を行う形状加工機の位置決め部と、薄板部材の突起部との両方に嵌合する嵌合孔であって、両嵌合軸心を同一軸心とするものである。
【０００９】
したがって、薄板部材は、当該薄板部材の共用嵌合部に形状加工機の位置決め部を嵌合させた状態で、役物設置用開口部を形成する開口加工が形状加工機により行われる。また、薄板部材は、その突起部を板状部材の共用嵌合孔に嵌合させるようにして板状部材に合わされた状態で、かつ、釘打ち機の位置決め部を板状部材の共用嵌合孔を介して当該薄板部材の共用嵌合部に嵌合させた状態で、釘打ち機により薄板部材の前面側に釘が打ち付けられるので、形状加工機の位置合わせ基準軸と釘打ち機の位置合わせ基準軸とを同一軸線とすることができる。つまり、両基準軸を薄板部材での共用嵌合部の嵌合軸線と同一にして、薄板部材の開口加工および釘打ちを行うことができ、薄板部材における役物設置用開口部と釘との位置関係のずれを低減できる。
【００１０】
さらに、板状部材は、当該板状部材の共用嵌合孔に形状加工機の位置決め部を嵌合させた状態で、役物設置用開口部を形成する開口加工が形状加工機により行われるし、また、この共用嵌合孔に薄板部材の突起部を嵌合させた状態で、前述したように釘打ち機により薄板部材の前面側への釘の打ち付けが行われるので、形状加工機の位置合わせ基準軸と薄板部材の基準軸たる共用嵌合部の嵌合軸とを同一軸線とすることができる。つまり、両基準軸を板状部材での共用嵌合孔の嵌合軸線と同一にして、板状部材の開口加工および薄板部材の前面側への釘打ちを行うことができ、板状部材における役物設置用開口部と薄板部材の前面側への釘との位置関係のずれも低減できる。
【００１１】
その結果、釘打ち工程よりも前に行われた開口加工工程での役物設置用開口部に対する釘の位置関係を適正なものとすることができ、高精度に釘が植設された遊技盤を製造でき、高精度に釘が植設された遊技盤を有する遊技機を提供することができる。
【００１２】
なお、本明細書は、次のような遊技機に係る発明も開示している。
【００１３】
（１）  請求項１に記載の遊技機において、
前記共用嵌合部は、前記形状加工機の位置決め部である第１凸部と、前記釘打ち機の位置決め部である第２凸部との両方に嵌合する凹部であって、両嵌合軸心を同一軸心とする共用嵌合凹部である
ことを特徴とする遊技機。
【００１４】
前記（１）に記載の発明によれば、共用嵌合部は、役物設置用開口部を形成する開口加工を行う形状加工機の位置決め部である第１凸部と、釘を打ち付ける釘打ち機の位置決め部である第２凸部との両方に嵌合する凹部であって、両嵌合軸心を同一軸心とする共用嵌合凹部としている。したがって、共用嵌合部を上述した共用嵌合凹部とした場合でも、請求項１と同様の作用効果を有する。
【００１５】
（２）  請求項１に記載の遊技機において、
前記共用嵌合部は、役物設置用開口部を形成する開口加工を行う形状加工機の位置決め部である第１凹部と、釘を打ち付ける釘打ち機の位置決め部である第２凹部との両方に嵌合する凸部であって、両嵌合軸心を同一軸心とする共用嵌合凸部である
ことを特徴とする遊技機。
【００１６】
前記（２）に記載の発明によれば、共用嵌合部は、役物設置用開口部を形成する開口加工を行う形状加工機の位置決め部である第１凹部と、釘を打ち付ける釘打ち機の位置決め部である第２凹部との両方に嵌合する凸部であって、両嵌合軸心を同一軸心とする共用嵌合凸部としている。したがって、共用嵌合部を上述した共用嵌合凸部とした場合でも、請求項１と同様の作用効果を有する。
【００１７】
（３）  請求項１に記載の遊技機、または、前記（１）または（２）に記載の遊技機において、
前記突起部は、その突起高さを前記板状部材の厚みよりも小さくしている
ことを特徴とする遊技機。
【００１８】
前記（３）に記載の発明によれば、突起部は、その突起高さを板状部材の厚みよりも小さくしているので、薄板部材の突起部が板状部材の共用嵌合孔に嵌合された状態において、板状部材の裏面側から外部に突出することなく、板状部材の厚み内に留まった状態であり、薄板部材の突起部が邪魔になることがない。つまり、薄板部材の突起部が板状部材の裏面側から外部に突出する場合には、その外部に出ている部分が邪魔になり、それを削除するなどの処理が必要になるが、薄板部材の突起部が板状部材の厚み内に留まっているので、邪魔にならないし、前記の削除処理なども不要にできる。
【００１９】
（４）  請求項１に記載の遊技機、または、前記（１）から（３）のいずれか一つに記載の遊技機において、
前記薄板部材の前記突起部と前記板状部材の前記共用嵌合孔とを一組とし、それを複数組備えている
ことを特徴とする遊技機。
【００２０】
前記（４）に記載の発明によれば、薄板部材の突起部と板状部材の共用嵌合孔とを一組としたものを複数組備えている。したがって、形状加工機の複数個の位置決め部と、それと対応する位置関係にある、薄板部材の複数個の突起部の共用嵌合部とを嵌合させることで、薄板部材の開口加工時の位置決めを高精度に行うことができる。また、形状加工機の複数個の位置決め部と、それと対応する位置関係にある、板状部材の複数個の共用嵌合孔とを嵌合させることで板状部材の開口加工時の位置決めを高精度に行うことができる。また、薄板部材の複数個の突起部と、それに対応する位置関係にある、板状部材の複数個の共用嵌合孔とを嵌合させることで、薄板部材と板状部材との重ね合わせ時の両者の位置決めを高精度に行うことができる。また、このように薄板部材と重ね合わされた板状部材の複数個の共用嵌合孔と、それに対応する位置関係にある、釘打ち機の複数個の位置決め部とを嵌合させることで、薄板部材と重ね合わされた状態の板状部材の釘打ち付け時の位置決めを高精度に行うことができる。
【００２１】
（５）  前記（４）に記載の遊技機において、
前記薄板部材の前記突起部は、当該突起部を断面視した状態で台形状となっている
ことを特徴とする遊技機。
【００２２】
前記（５）に記載の発明によれば、薄板部材の突起部と板状部材の共用嵌合孔とを一組とし、それを複数組備えている場合において、各突起部間の距離が微小レベルでずれがあったとしても、薄板部材の各突起部間の位置ずれを許容することができ、薄板部材と板状部材とを重ね合わせることができる。
【００２３】
（６）  請求項１に記載の遊技機、または、前記（１）から（５）のいずれか一つに記載の遊技機において、
前記薄板部材の裏面側で前記突起部を除く箇所に、遊技機を表すための表示または遊技領域を装飾するための表示を有する装飾表示部を設け、
前記装飾表示部は、前記薄板部材および前記板状部材とは別体であり、前記薄板部材の前面側から視認可能に当該薄板部材の裏面側で前記突起部を除く箇所に貼り付けられるものであることを特徴とする遊技機。
【００２４】
前記（６）に記載の発明によれば、装飾表示部は、遊技機を表すための表示または遊技領域を装飾するための表示を有するものであり、薄板部材および板状部材とは別体であり、薄板部材の前面側から視認可能に当該薄板部材の裏面側で突起部を除く箇所に貼り付けられるものとしており、薄板部材と装飾表示部とが密着しているので、以下の点で優れている。すなわち、薄板部材の裏面側に単に装飾表示部を合わせるというだけでは、薄板部材の裏面側から装飾表示部の少なくとも一部が離間したままで薄板部材の裏面側に装飾表示部が設けられることがあり、この場合には、遊技盤を正面視して見ると、当該離間部分の表示がぼける（装飾表示部の離間部分と密着部分とで薄板部材への光入射率に差が生じる）という問題があるが、本発明によればこのような問題を解消できる。つまり、薄板部材と装飾表示部とが密着しており、薄板部材の裏面側で装飾表示部が離間する部分が全くないので、前述したような離間部分の表示のぼけが生じない。
【００２５】
（７）  請求項１に記載の遊技機、または、前記（１）から（５）のいずれか一つに記載の遊技機において、
前記装飾表示部は、前記薄板部材の前面側から視認可能に当該薄板部材の裏面側に直接に描画されたものであることを特徴とする遊技機。
【００２６】
前記（７）に記載の発明によれば、装飾表示部は、薄板部材の前面側から視認可能に当該薄板部材の裏面側に直接に描画されたものとしており、薄板部材と装飾表示部とが密着しているので、以下の点で優れている。すなわち、薄板部材の裏面側に単に装飾表示部を合わせるというだけでは、薄板部材の裏面側から装飾表示部の少なくとも一部が離間したままで薄板部材の裏面側に装飾表示部が設けられることがあり、この場合には、遊技盤を正面視して見ると、当該離間部分の表示がぼける（装飾表示部の離間部分と密着部分とで薄板部材への光入射率に差が生じる）という問題があるが、本発明によればこのような問題を解消できる。つまり、薄板部材と装飾表示部とが密着しており、薄板部材の裏面側で装飾表示部が離間する部分が全くないので、前述したような離間部分の表示のぼけが生じない。
【００２７】
（８）  請求項１に記載の遊技機、または、前記（１）から（７）のいずれか一つに記載の遊技機において、
前記板状部材の裏面側で前記突起部の対応する箇所に、遊技の所定の制御を行う制御手段を被包する被包手段を封緘する封緘手段が位置するようにしている
ことを特徴とする遊技機。
【００２８】
前記（８）に記載の発明によれば、板状部材の裏面側で突起部の対応する箇所に、遊技の所定の制御を行う制御手段を被包する被包手段を封緘する封緘手段が位置するようにしているので、薄板部材の突起部の箇所が板状部材の裏面側が見えるという視認部となっている。つまり、薄板部材が光透過性で形成されていることから、その突起部も光透過性であり、この突起部は板状部材の共用嵌合孔に嵌合されているので、遊技盤を正面視した状態で薄板部材の突起部の箇所たる視認部を通して、板状部材の裏面側の封緘手段を見ることができ、制御手段を被包する被包手段の不正開封などを遊技盤を開くことなく発見でき、不正行為を低減することができる。
【００２９】
（９）  請求項１に記載の遊技機、または、前記（１）から（８）のいずれか一つに記載の遊技機において、
前記板状部材は、前記釘が前面側に打ち付け固定可能なものであり
前記釘は、前記板状部材の前面側に前記薄板部材が重ね合わされた状態で、前記薄板部材の方から当該薄板部材を貫通して前記板状部材に打ち付けられており、この打ち付け状態の当該釘は、前記薄板部材および前記板状部材に接触しており、
前記薄板部材と前記板状部材とは、前記釘により固定されている
ことを特徴とする遊技機。
【００３０】
前記（９）に記載の発明によれば、遊技球が打ち込まれる遊技領域を有する遊技盤は、遊技領域を流下する遊技球の挙動に変化を与えるための釘が前面側に打ち付け固定可能な板状部材の前面側に、当該板状部材の遊技領域を少なくとも覆うようにして光透過性の薄板部材が板状部材に重ね合わされたものであり、釘は、板状部材の前面側にこの薄板部材が重ね合わされた状態で、薄板部材の方から当該薄板部材を貫通して板状部材に打ち付けられており、この打ち付け状態の当該釘は、薄板部材および板状部材に接触しており、薄板部材と板状部材とはこの釘により固定されている。したがって、薄板部材と板状部材とを固定する専用の固定具を不要にすることができ、部品点数を削減することができる。
【００３１】
（１０）  請求項１に記載の遊技機、または、前記（１）から（９）のいずれか一つに記載の遊技機において、
前記薄板部材は、透過性樹脂で構成された透明あるいは半透明の薄板状の部材であることを特徴とする遊技機。
【００３２】
前記（１０）に記載の発明によれば、薄板部材は、透過性樹脂で構成された透明あるいは半透明の薄板状の部材であるので、透過性樹脂を用いることで透明あるいは半透明の薄板状の部材を好適に製造することができる。
【００３３】
（１１）  請求項１に記載の遊技機、または、前記（１）から（１０）のいずれか一つに記載の遊技機において、
前記板状部材は、ベニヤ板であることを特徴とする遊技機。
【００３４】
前記（１１）に記載の発明によれば、板状部材をベニヤ板とする構成下においても、請求項１等と同様の作用効果を有する。
【００３５】
（１２）  請求項１に記載の遊技機、または、前記（１）から（１１）のいずれか一つに記載の遊技機において、
前記遊技機はパチンコ機であることを特徴とする遊技機。
【００３６】
前記（１２）に記載の遊技機によれば、釘打ち工程よりも前に行われた開口加工工程での役物設置用開口部に対する釘の位置関係を適正なものとすることができ、高精度に釘が植設された遊技盤を製造でき、高精度に釘が植設された遊技盤を有するパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３７】
（１３）請求項１に記載の遊技機、または、前記（１）から（１１）のいずれか一つに記載の遊技機において、
前記遊技機はパチンコ機とスロットマシンとを融合させたものであることを特徴とする遊技機。
【００３８】
前記（１３）に記載の遊技機によれば、釘打ち工程よりも前に行われた開口加工工程での役物設置用開口部に対する釘の位置関係を適正なものとすることができ、高精度に釘が植設された遊技盤を製造でき、高精度に釘が植設された遊技盤を有する、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３９】
さらに、本明細書は、次のような遊技盤の製造方法に係る発明も開示している。
【００４０】
（１４）  遊技球が打ち込まれる遊技領域を有する遊技盤を製造する遊技盤の製造方法において、
正面視した状態で遊技領域を含む大きさの光透過性の薄板部材に対して、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とする共用嵌合部を有する突起部を形成する突起部形成工程と、
正面視した状態で遊技領域を含む大きさの板状部材に対して、役物を設置するための遊技領域の開口部である役物設置用開口部を形成する開口加工を行う形状加工機の位置決め部と、前記薄板部材の前記突起部との両方に嵌合する嵌合孔であって、両嵌合軸心を同一軸心とする共用嵌合孔を形成する共用嵌合孔形成工程と、
前記板状部材の前記共用嵌合孔を前記形状加工機の位置決め部に嵌合させた状態で、前記役物設置用開口部を形成する第１開口加工工程と、
前記薄板部材の前記共用嵌合部を前記形状加工機の位置決め部に嵌合させた状態で、前記役物設置用開口部を形成する第２開口加工工程と、
前記薄板部材の前記突起部と前記板状部材の前記共用嵌合孔とを嵌合させるようにして前記薄板部材と前記板状部材とを重ね合わせる重ね合わせ工程と、
前記重ね合わせ工程で重ね合わされた前記薄板部材の前記共用嵌合部に前記釘打ち機の位置決め部を嵌合させた状態で、前記薄板部材の前面側から釘先が前記板状部材に達するように釘を打ち付ける釘打ち工程と、
を備えていることを特徴とする遊技盤の製造方法。
【００４１】
前記（１４）に記載の発明によれば、遊技球が打ち込まれる遊技領域を有する遊技盤を製造する遊技盤の製造方法は以下のように行われる。つまり、突起部形成工程では、正面視した状態で遊技領域を含む大きさの光透過性の薄板部材に対して、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とする共用嵌合部を有する突起部を形成する。共用嵌合孔形成工程では、正面視した状態で遊技領域を含む大きさの板状部材に対して、役物を設置するための遊技領域の開口部である役物設置用開口部を形成する開口加工を行う形状加工機の位置決め部と、薄板部材の突起部との両方に嵌合する嵌合孔であって、両嵌合軸心を同一軸心とする共用嵌合孔を形成する。第１開口加工工程は、板状部材の共用嵌合孔を形状加工機の位置決め部に嵌合させた状態で、役物設置用開口部を形成する。第２開口加工工程では、薄板部材の共用嵌合部を形状加工機の位置決め部に嵌合させた状態で、役物設置用開口部を形成する。重ね合わせ工程では、薄板部材の突起部と板状部材の共用嵌合孔とを嵌合させるようにして薄板部材と板状部材とを重ね合わせる。釘打ち工程では、重ね合わせ工程で重ね合わされた薄板部材の共用嵌合部に釘打ち機の位置決め部を嵌合させた状態で、薄板部材の前面側から釘先が板状部材に達するように釘を打ち付ける。
【００４２】
したがって、薄板部材は、当該薄板部材の共用嵌合部に形状加工機の位置決め部を嵌合させた状態で、役物設置用開口部を形成する開口加工が形状加工機により行われる。また、薄板部材は、その突起部を板状部材の共用嵌合孔に嵌合させるようにして板状部材に合わされた状態で、かつ、釘打ち機の位置決め部を板状部材の共用嵌合孔を介して当該薄板部材の共用嵌合部に嵌合させた状態で、釘打ち機により薄板部材の前面側に釘が打ち付けられるので、形状加工機の位置合わせ基準軸と釘打ち機の位置合わせ基準軸とを同一軸線とすることができる。つまり、両基準軸を薄板部材での共用嵌合部の嵌合軸線と同一にして、薄板部材の開口加工および釘打ちを行うことができ、薄板部材における役物設置用開口部と釘との位置関係のずれを低減できる。
【００４３】
さらに、板状部材は、当該板状部材の共用嵌合孔に形状加工機の位置決め部を嵌合させた状態で、役物設置用開口部を形成する開口加工が形状加工機により行われるし、また、この共用嵌合孔に薄板部材の突起部を嵌合させた状態で、前述したように釘打ち機により薄板部材の前面側への釘の打ち付けが行われるので、形状加工機の位置合わせ基準軸と薄板部材の基準軸たる共用嵌合部の嵌合軸とを同一軸線とすることができる。つまり、両基準軸を板状部材での共用嵌合孔の嵌合軸線と同一にして、板状部材の開口加工および薄板部材の前面側への釘打ちを行うことができ、板状部材における役物設置用開口部と薄板部材の前面側への釘との位置関係のずれも低減できる。
【００４４】
その結果、釘打ち工程よりも前に行われた開口加工工程での役物設置用開口部に対する釘の位置関係を適正なものとすることができ、高精度に釘が植設された遊技盤を製造でき、高精度に釘が植設された遊技盤を有する遊技機を提供することができる。
【発明の効果】
【００４５】
この発明に係る遊技機によれば、遊技球が打ち込まれる遊技領域を有する遊技盤は、正面視した状態で遊技領域を含む大きさの板状部材と、前記板状部材の前面側で当該板状部材の遊技領域を少なくとも覆うようにしてこの板状部材に重ね合わされる、光透過性の薄板部材と、を備え、かつ、前記薄板部材が前記板状部材に重ね合わされた状態で、遊技領域を流下する遊技球の挙動に変化を与えるための釘が前記薄板部材の前面側から打ち付け固定されるものであり、前記薄板部材は、役物を設置するための遊技領域の開口部である役物設置用開口部を形成する開口加工を行う形状加工機の位置決め部と、釘を打ち付ける釘打ち機の位置決め部との両方に嵌合する嵌合部であって、両嵌合軸心を同一軸心とする共用嵌合部を有する突起部を備え、前記板状部材は、前記役物設置用開口部を形成する開口加工を行う形状加工機の位置決め部と、前記薄板部材の前記突起部との両方に嵌合する嵌合孔であって、両嵌合軸心を同一軸心とする共用嵌合孔を備えているので、薄板部材は、当該薄板部材の共用嵌合部に形状加工機の位置決め部を嵌合させた状態で、役物設置用開口部を形成する開口加工が形状加工機により行われ、薄板部材は、その突起部を板状部材の共用嵌合孔に嵌合させるようにして板状部材に合わされた状態で、かつ、釘打ち機の位置決め部を板状部材の共用嵌合孔を介して当該薄板部材の共用嵌合部に嵌合させた状態で、釘打ち機により薄板部材の前面側に釘が打ち付けられることから、形状加工機の位置合わせ基準軸と釘打ち機の位置合わせ基準軸とを同一軸線とすることができる。つまり、両基準軸を薄板部材での共用嵌合部の嵌合軸線と同一にして、薄板部材の開口加工および釘打ちを行うことができ、薄板部材における役物設置用開口部と釘との位置関係のずれを低減できる。さらに、板状部材は、当該板状部材の共用嵌合孔に形状加工機の位置決め部を嵌合させた状態で、役物設置用開口部を形成する開口加工が形状加工機により行われ、また、この共用嵌合孔に薄板部材の突起部を嵌合させた状態で、前述したように釘打ち機により薄板部材の前面側への釘の打ち付けが行われることから、形状加工機の位置合わせ基準軸と薄板部材の基準軸たる共用嵌合部の嵌合軸とを同一軸線とすることができる。つまり、両基準軸を板状部材での共用嵌合孔の嵌合軸線と同一にして、板状部材の開口加工および薄板部材の前面側への釘打ちを行うことができ、板状部材における役物設置用開口部と薄板部材の前面側への釘との位置関係のずれも低減できる。その結果、釘打ち工程よりも前に行われた開口加工工程での役物設置用開口部に対する釘の位置関係を適正なものとすることができ、高精度に釘が植設された遊技盤を製造でき、高精度に釘が植設された遊技盤を有する遊技機を提供することができる。
【発明を実施するための最良の形態】
【００４６】
以下、パチンコ遊技機（以下、単に「パチンコ機」という）の各種の実施の形態を、図面に基づいて詳細に説明する。
【実施例１】
【００４７】
実施例１のパチンコ機を、図面に基づいて詳細に説明する。図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００４８】
図１，２に示すように、パチンコ機１０は、当該パチンコ機１０の外殻を形成する外枠１１と、この外枠１１の一側部に開閉可能に支持された内枠１２とを備えている。
【００４９】
内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。
【００５０】
内枠１２の構成を図３も用いて詳細に説明する。図３は、パチンコ機１０から前面枠セット１４を取り外した状態を示す正面図である（但し、図３では便宜上、遊技盤３０面上の遊技領域内の構成を空白で示している）。
【００５１】
内枠１２は、大別すると、図２に示すように、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０（図３参照）と、この樹脂ベース２０の後側に取り付けられる遊技盤３０（図４参照）とを備えている。
【００５２】
下皿ユニット１３は、図２に示すように、内枠１２に対してネジ等の締結具により固定されている。この下皿ユニット１３の前面側には、図１に示すように、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８とセットハンドルと発射モータなどで構成されている。音出力口２４は、下皿ユニット１３内あるいは背面に設けられたスピーカからの音を出力するための出力口である。
【００５３】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のもの）を差し入れるなどの不正行為を防止できるようになっている。
【００５４】
一方、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。
【００５５】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。また、窓穴２１には、２枚のガラス１３７（図２参照）が前後に所定間隔を隔てて取着されている（二重ガラス構造）。
【００５６】
次に、図４を用いて遊技盤３０の構成を説明する。図４は遊技盤３０の構成を示す正面図である。遊技盤３０は、一般入賞口３１、可変入賞装置３２、第１の始動口３３（例えば作動チャッカ）、第２の始動口３４（例えばスルーゲート）、可変表示装置ユニット３５等を備えている。これらの一般入賞口３１、可変入賞装置３２、第１の始動口３３、第２の始動口３４、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球が入球し、当該入球が後述する検出スイッチ（入賞口スイッチ（図示省略）、カウントスイッチ（図示省略）、作動口スイッチ２２４（図５参照）等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００５７】
可変表示装置ユニット３５は、第１の始動口３３への入賞をトリガとして、識別情報としての第１図柄（例えば特別図柄）を変動表示する第１図柄表示装置４２と、第２の始動口３４の通過をトリガとして、第２図柄（例えば普通図柄）を変動表示する第２図柄表示装置４１とを備えている。
【００５８】
第２図柄表示装置４１は、第２図柄用の表示部４３と保留ランプ４４とを有し、遊技球が第２の始動口３４を通過する毎に例えば表示部４３による表示図柄（普通図柄）が変動し、その変動表示が所定図柄で停止した場合に第１の始動口３３が所定時間だけ作動状態となる（開放される）よう構成されている。遊技球が第２の始動口３４を通過した回数は最大４回まで保留され、その保留回数が保留ランプ４４にて点灯表示されるようになっている。なお、表示部４３は、複数のランプの点灯を切り換えることにより変動表示される構成の他、第１図柄表示装置４２（液晶表示装置）の一部で変動表示される構成等であっても良い。保留ランプ４４も同様に、第１図柄表示装置４２の一部で変動表示される構成等であっても良い。なお、上述した第２図柄表示装置４１が本発明における普通識別情報変動表示手段に相当する。
【００５９】
第１図柄表示装置４２は液晶表示装置として構成されており、後述する表示制御装置４５により表示内容が制御される。第１図柄表示装置４２には、例えば左、中及び右の３つの図柄列が表示される。各図柄列は複数の図柄によって構成されており、これら図柄が図柄列毎にスクロールされるようにして第１図柄表示装置４２に可変表示されるようになっている。なお本実施の形態では、第１図柄表示装置４２（液晶表示装置）は例えば９．５インチサイズの大型の液晶ディスプレイを備える。可変表示装置ユニット３５には、第１図柄表示装置４２を囲むようにしてセンターフレーム４７が配設されている。なお、上述した第１図柄表示装置４２が本発明における識別情報変動表示手段に相当し、上述した表示制御装置４５が本発明における表示制御手段に相当する。
【００６０】
可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、第１の始動口３３に対し遊技球が入賞すると第１図柄表示装置４２で図柄が変動表示され、その停止後の確定図柄が予め設定した特定の図柄の組合せとなった場合に特別遊技状態が発生する。そして、可変入賞装置３２の大入賞口３２ａが所定の開放状態となり、遊技球が入賞しやすい状態（大当たり状態）になるよう構成されている。具体的には、所定時間の経過又は所定個数の入賞を１ラウンドとして、可変入賞装置３２の大入賞口３２ａが所定回数繰り返し開放される。遊技球が第１の始動口３３を通過した回数は最大４回まで保留され、その保留回数が保留ランプ４６にて点灯表示されるようになっている。なお、保留ランプ４６は、第１図柄表示装置４２の一部で変動表示される構成等であっても良い。
【００６１】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００６２】
内レール５１の先端部分（図４の左上部）には戻り球防止部材５３が取着されている。これにより、一旦、内レール５１及び外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００６３】
内レール５１及び外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部及び左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００６４】
次に、遊技領域について説明する。遊技領域は、レールユニット５０の内周部（内外レール）により略円形状に区画形成されており、特に本実施の形態では、遊技盤３０の盤面上に区画される遊技領域が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００６５】
なお、可変表示装置ユニット３５の両側に位置する第２の始動口３４は、該第２の始動口３４を通過した遊技球が中央の方へ寄せられるような案内機構を有している。これにより、遊技領域が左右方向に拡張されている場合であっても、遊技球を中央の第１の始動口３３や可変入賞装置３２の方へと案内することができ、ひいては、遊技領域が拡張されることにより遊技球が入賞しにくくなることによる興趣の低下が抑制されるようになっている。さらには、遊技領域が左右方向に拡張されていることによって、風車３７、第２の始動口３４、複数の釘（遊技球を中央に誘導するための誘導釘）、他の役物を種々配設することができ、可変表示装置ユニット３５の左右両側の遊技領域での遊技球の挙動を一層面白くすることができるようになっている。また、遊技領域が上下方向にも拡張されていることから、さらに風車３７、第２の始動口３４、複数の釘、他の役物を種々配設することができ、遊技領域での上下方向の遊技球の挙動をより一層面白くすることができるようになっている。
【００６６】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００６７】
本パチンコ機１０の場合、遊技領域が従来よりも大幅に拡張されており、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００６８】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００６９】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される。これにより、ファール球の全てがファール球通路６３に確実に案内されるようになる。これにより、ファール球と次に発射される遊技球との干渉が抑制される。
【００７０】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果がある。
【００７１】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている。前面枠セット１４を内枠１２から開放した状態（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００７２】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００７３】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００７４】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータへ出力されるようになっている。
【００７５】
前面枠セット１４にはその周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ（発光ダイオード）等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００７６】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７７】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２には、カウントスイッチ（図示省略）が設けられている。カウントスイッチは、入賞球をカウントするスイッチである。また、第１の始動口３３に対応する位置には作動口スイッチ２２４が設けられ、第２の始動口３４に対応する位置にはゲートスイッチ（図示省略）が設けられている。なお、上述した作動口スイッチ２２４が本発明における入賞検出手段に相当する。
【００７８】
入賞口スイッチ（図示省略）及びゲートスイッチ（図示省略）は、図示しない電気配線を通じて盤面中継基板（図示省略）に接続され、さらにこの盤面中継基板（図示省略）が後述する主基板（主制御装置２６１）に接続されている。また、カウントスイッチ（図示省略）は大入賞口中継基板（図示省略）に接続され、さらにこの大入賞口中継基板（図示省略）がやはり主基板に接続されている。これに対し、作動口スイッチ２２４は中継基板を介さずに直接主基板に接続されている。
【００７９】
その他図示は省略するが、可変入賞装置３２には、大入賞口３２ａを開放するための大入賞口ソレノイドが設けられ、第１の始動口３３には、電動役物を開放するための作動口ソレノイドが設けられている。
【００８０】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００８１】
次に、本パチンコ機１０の電気的構成について、図５を用いて説明する。図５は、本パチンコ機１０の電気的構成を示したブロック図である。本パチンコ機１０は、主制御装置２６１と、払出制御装置３１１と、発射制御装置３１２と、表示制御装置４５と、電源装置３１３などを備えている。以下に、これらの装置を個別に詳細に説明する。
【００８２】
主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備している。
【００８３】
また、音声ランプ制御装置２６２は、例えば主制御装置２６１（主基板）又は表示制御装置４５からの指示に従い音声やランプ表示の制御を司るＣＰＵや、その他ＲＯＭ、ＲＡＭ、各種ポート等を含む音声ランプ制御基板を具備している。音声ランプ制御装置２６２上には電源中継基板２６６が搭載されており、後述する電源基板より供給される電源がこの電源中継基板２６６を介して表示制御装置４５及び音声ランプ制御装置２６２に出力されるようになっている。
【００８４】
払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者による遊技球発射ハンドル１８の操作に従い発射モータ（図示省略）の制御が行われ、電源装置３１３の電源基板により、各種制御装置等で要する所定の電源電圧が生成され出力される。
【００８５】
また、電源装置３１３にはＲＡＭ消去スイッチ（図示省略）が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチを押しながら電源を投入することとしている。
【００８６】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００８７】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアの他に、バックアップエリア５０３ａが設けられている。
【００８８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア５０３ａへの書き込みは、ＮＭＩ割込み処理によって電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００８９】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路６４３、払出制御装置３１１、表示制御装置４５や、その他図示しないスイッチ群などが接続されている。
【００９０】
また、払出制御装置３１１は、払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９１】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアの他に、バックアップエリア５１３ａが設けられている。
【００９２】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくためのエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００９３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００９４】
発射制御装置３１２は、発射モータ（図示省略）による遊技球の発射を許可又は禁止するものであり、発射モータは、所定条件が整っている場合に駆動が許可される。具体的には、払出制御装置３１１から発射許可信号が出力されていること、遊技者が遊技球発射ハンドル１８をタッチしていることをセンサ信号により検出していること、発射を停止させるための発射停止スイッチが操作されていないことを条件に、発射モータが駆動され、遊技球発射ハンドル１８の操作量に応じた強度で遊技球が発射される。
【００９５】
表示制御装置４５は、第１図柄表示装置４２における第１図柄の変動表示と、第２図柄表示装置４１における第２図柄の変動表示とを制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力には主制御装置２６１の出力が接続され、入力ポート５２７の出力には、ＣＰＵ５２１、ＲＯＭ５２２、ワークＲＡＭ５２３、画像コントローラ５２６が接続されると共にバスライン５３０を介して一方の出力ポート５２８が接続されている。出力ポート５２８の出力には第２図柄表示装置４１（表示部４３）や、音声ランプ制御装置２６２が接続されている。また、画像コントローラ５２６にはバスライン５３１を介して出力ポート５２９が接続されており、その出力ポート５２９の出力には液晶表示装置である第１図柄表示装置４２が接続されている。
【００９６】
表示制御装置４５のＣＰＵ５２１は、主制御装置２６１から送信される表示コマンドに基づいて第１図柄表示装置４２及び第２図柄表示装置４１の表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００９７】
ビデオＲＡＭ５２４は、第１図柄表示装置４２に表示される表示データを記憶するためのメモリであり、このビデオＲＡＭ５２４の内容を書き替えることにより、第１図柄表示装置４２の表示内容が変更される。キャラクタＲＯＭ５２５は、第１図柄表示装置４２に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４２に表示させるものである。
【００９８】
また、電源装置３１３は、パチンコ機１０の各部に電力を供給するための電源部５４１と、停電等による電源遮断を監視する停電監視回路５４２と、ＲＡＭ消去スイッチ（図示省略）に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９９】
停電監視回路５４２は、停電等の発生による電源断時に、主制御装置２６１のＣＰＵ５０１及び払出制御装置３１１のＣＰＵ５１１の各ＮＭｌ端子へ停電信号Ｓ１を出力するための回路である。停電監視回路５４２は、電源部５４１で交流５ボルトの電圧を監視し、この電圧が５ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１００】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１０１】
ＲＡＭ消去スイッチ回路５４３は、ＲＡＭ消去スイッチ（図示省略）のスイッチ信号を取り込み、そのスイッチの状態に応じて主制御装置２６１のＲＡＭ５０３及び払出制御装置３１１のＲＡＭ５１３のバックアップデータをクリアするための回路である。ＲＡＭ消去スイッチが押下された際、ＲＡＭ消去スイッチ回路５４３は、ＲＡＭ消去信号Ｓ２を主制御装置２６１及び払出制御装置３１１に出力する。ＲＡＭ消去スイッチが押下された状態でパチンコ機１０の電源が投入されると（停電解消による電源入を含む）、主制御装置２６１及び払出制御装置３１１においてそれぞれのＲＡＭ５０３，６１３のデータがクリアされる。
【０１０２】
ところで、第１図柄表示装置（液晶表示装置）４２には、図６に示すように、上・中・下の３つの図柄列Ｕ，Ｍ，Ｄが設定されており、図柄列Ｕ，Ｍ，Ｄ毎に左図柄、中図柄、右図柄の３個ずつの図柄（第１図柄：例えば特別図柄）が横方向に変動表示される。本実施の形態では、一連の図柄は、「０」〜「９」の数字を各々付した、海中生物などの絵柄からなる主図柄ＳＺと、貝型形状の絵図柄からなる副図柄ＦＺとにより構成されており、数字の昇順に主図柄ＳＺが表示されると共に各主図柄ＳＺの間に副図柄ＦＺが配されて一連の図柄列Ｕ，Ｍ，Ｄが構成されている。そして、周期性を持って主図柄ＳＺと副図柄ＦＺが右から左へと変動表示されるようになっている。
【０１０３】
かかる場合、上図柄列Ｕおよび中図柄列Ｍにおいて、上記一連の図柄が昇順（すなわち、主図柄ＳＺの番号が増える順）に表示され、下図柄列Ｄにおいて、上記一連の図柄が降順（すなわち、主図柄ＳＺの番号が減る順）に表示される。そして、第１の始動口３３への入賞に基づいて一連の図柄列Ｕ，Ｍ，Ｄの変動表示が開始され、そして、上図柄列Ｕ→下図柄列Ｄ→中図柄列Ｍの順に変動表示が停止し、その停止時に第１図柄表示襲置４２上の５つの有効ライン、すなわち左ラインＬ１、中ラインＬ２、右ラインＬ３、右上がりラインＬ４、左上がりラインＬ５の何れかで主図柄ＳＺが大当たり図柄の組合せ（本実施の形態では、同一の主図柄ＳＺの組合せ）で揃えば大当たりとして特定遊技動画（特別遊技動画）が表示されるようになっている。
【０１０４】
なおここで、主制御装置２６１で行われる大当り抽選などの機能について説明する。主制御装置２６１は、大当り状態の発生を抽選する抽選部（図示省略）を備えている。つまり、主制御装置２６１は、抽選部（図示省略）で当選すると、第１図柄表示装置４２での第１図柄の変動表示結果が予め設定した特定の図柄の組合せ（大当り図柄）となる表示演出を指示し、大当り表示後に大当り状態を発生させる機能を有するものである。要するに、主制御装置２６１は、例えば「０〜６７６」までの値をとり得る大当たり乱数カウンタＣ１（特別遊技状態となるか否かを決定するための第１乱数群）の値（第１乱数）に基づいて特別遊技状態を発生させているのである。
【０１０５】
具体的には、主制御装置２６１のＣＰＵ５０１は、大当たり乱数カウンタＣ１を発生させる図示省略の第１乱数発生部（第１乱数群発生機能）を有している。また、主制御装置２６１は、第１の始動口３３に遊技球が入賞する毎に、ＲＡＭ５０３の保留球格納エリアのうちの大当たり乱数カウンタＣ１の値を記憶するエリア（図示省略の第１乱数記憶部）を備えている。さらに、主制御装置２６１のＣＰＵ５０１は、この保留球格納エリア（図示省略の第１乱数記憶部）に記憶された大当たり乱数カウンタＣ１の値が当り値であるか否かを判定する図示省略の第１判定部（判定機能）も有している。
【０１０６】
つまり、第１の始動口３３に設けられた作動口スイッチ２２４での遊技球の入賞検出のタイミングで、第１乱数発生部（図示省略）での大当り乱数カウンタＣ１の値（第１乱数）がＲＡＭ５０３の保留球格納エリア（図示省略の第１乱数記憶部）に記憶されるようになっている。また、低確率時においては、第１判定部（図示省略）は、第１乱数記憶部（図示省略）に記憶された大当り乱数カウンタＣ１の値（第１乱数）が２個の値「３３７，６７３」であれば大当りと判定し、そうでなければ外れと判定する。また、高確率時（確率変動時とも言う）においては、第１判定部（図示省略）は、第１乱数記憶部（図示省略）に記憶された大当り乱数カウンタＣ１の値（第１乱数）が１０個の値「６７，１３１，１９９，２８９，３３７，４０１，４６３，５２３，６０１，６６１」であれば大当りと判定し、そうでなければ外れと判定する。上述の第１乱数発生部（図示省略），第１判定部（図示省略）は、ＣＰＵ５０１に所定のプログラムを実行させることで実現されている。
【０１０７】
そして、ＣＰＵ５０１で大当たり乱数カウンタＣ１の値が当り値であると判定した場合には、主制御装置２６１から可変入賞装置３２に特別遊技状態とするための信号が出力される。可変入賞装置３２は、主制御装置２６１からの当該指示に基づいて、遊技球が入賞しやすい開状態と通常の閉状態とに繰り返し作動するという大当たり動作を実行するようになっている。
【０１０８】
次に、本実施例のパチンコ機１０のさらなる特徴部分の構成について、図７，図８を用いて説明する。図７は実施例１の遊技盤３０の要部構成を示す分解斜視図である。図８は実施例１の遊技盤３０の要部箇所の断面図である。
【０１０９】
実施例１の遊技盤３０は、図４に示すように、遊技者の遊技球発射ハンドル１８（図１参照）の操作によって遊技球が打ち込まれる、正面視で略円形の遊技領域を備えている。また、実施例１の遊技盤３０は、図７に示すように、その前面側から順に透明樹脂板４００とセルシート４１０とベニヤ板４２０とを備えている。
【０１１０】
なお、透明樹脂板４００の前面側、つまり、透明樹脂板４００におけるセルシート４１０と当接する面とは反対側の面には、図４に示すように、センターフレーム４７などの遊技部品や釘などが配設されている。また、ベニヤ板４２０の後面側（裏面側）、つまり、ベニヤ板４２０におけるセルシート４１０と当接する面とは反対側の面には、図示は省略するが、各種入賞口（一般入賞口３１、可変入賞装置３２および第１の始動口３３）に入賞した遊技球を集めて排出するための集合板や、第１図柄表示装置４２などが取り付けられている。
【０１１１】
ベニヤ板４２０は、図７に示すように、正面視した状態で遊技領域を含む大きさをしており、図８に示すように、遊技領域を流下する遊技球の挙動に変化を与えるための釘４３０が前面側に打ち付け固定可能なものである。このベニヤ板４２０は、その厚みを例えば１５ｍｍ（ミリ）としている。なお、ベニヤ板４２０の厚みを１５ｍｍ（ミリ）以外としてもよい。
【０１１２】
透明樹脂板４００は、図７に示すように、ベニヤ板４２０の前面側で当該ベニヤ板４２０の遊技領域を覆うようにしてこのベニヤ板４２０に重ね合わされる、透過性樹脂（例えば、アクリル樹脂やポリカーボネイト樹脂など）で構成された光透過性の薄板状の部材としている。この透明樹脂板４００は、その厚みを例えば５ｍｍ（ミリ）としている。なお、透明樹脂板４００の厚みを５ｍｍ以外としてもよい。
【０１１３】
セルシート４１０は、図７に示すように、透明樹脂板４００とベニヤ板４２０との間に設けられるものであり、その前面側（表示面側）に、パチンコ機１０を表すための表示としてのパチンコ機１０の機種名を表示する表示部分と、遊技領域を装飾するために当該機種の特徴（あるいは個性）で装飾表示する表示部分とが描画（印刷）されたものである。セルシート４１０は、透明樹脂板４００とベニヤ板４２０とは別体であり、透明樹脂板４００の前面側から前述の描画面が視認可能となるように当該透明樹脂板４００の裏面側に貼り付けられるものである。つまり、セルシート４１０の前面側には、その全面にわたって透明の接着剤層を有しており、透明樹脂板４００の裏面側にセルシート４１０の前面側を密着させて貼り付けることができるようになっている。このセルシート４１０は、その厚みを例えば１ｍｍ（ミリ）としている。なお、セルシート４１０の前面側に替えて透明樹脂板４００の裏面側に透明の接着剤層を有するようにしてもよい。また、セルシート４１０の厚みが１ｍｍ以下のものを採用するようにしてもよい。
【０１１４】
ベニヤ板４２０は、その密度が透明樹脂板４００の密度よりも低いものである。例えば、透明樹脂板４００をポリカーボネイト樹脂で形成した場合には、この透明樹脂板４００（ポリカーボネイト樹脂板）の比重は、「１．２」となっている。これに対して、ベニヤ板４２０の比重は、「０．６３〜０．８０」となっている。
【０１１５】
なお、図７に示すように、透明樹脂板４００とセルシート４１０とベニヤ板４２０とは、それらを正面視した状態での外周形状が同一形状となっているが、セルシート４１０等は、遊技領域以上の大きさで、かつ、ベニヤ板４２０の正面視での外周形状よりも小さい形状であってもよい。
【０１１６】
図７に示すように、透明樹脂板４００の前面視状態での所定箇所には、図４に示したセンターフレーム４７や第１の始動口３３や可変入賞装置３２等の役物（遊技用部品）を設置するための遊技領域の開口部（役物設置用開口部４０１）がルータ加工（開口加工）によりそれぞれ形成されている。この透明樹脂板４００への役物設置用開口部４０１の形成は、透明樹脂板４００用のルータ加工機により行われている。なお、この透明樹脂板４００用のルータ加工機とは、透明樹脂板４００のルータ加工を専用とする専用機であってもよいし、少なくとも透明樹脂板４００のルータ加工時に当該透明樹脂板４００を位置決めできる構成のものであれば汎用のルータ加工機でもよいことは言うまでもない。
【０１１７】
また、ベニヤ板４２０にも透明樹脂板４００と同様に役物設置用開口部４２１がルータ加工（開口加工）形成されている。つまり、図７に示すように、ベニヤ板４２０の前面視状態での所定箇所には、図４に示したセンターフレーム４７や第１の始動口３３や可変入賞装置３２等の役物（遊技用部品）を設置するための遊技領域の開口部（役物設置用開口部４２１）がそれぞれ形成されている。このベニヤ板４２０への役物設置用開口部４２１の形成は、ベニヤ板４２０用のルータ加工機により行われている。なお、このベニヤ板４２０用のルータ加工機とは、ベニヤ板４２０のルータ加工を専用とする専用機であってもよいし、少なくともベニヤ板４２０のルータ加工時に当該ベニヤ板４２０を位置決めできる構成のものであれば汎用のルータ加工機でもよいし、透明樹脂板４００およびベニヤ板４２０の両方に対応できるものであってもよいことは言うまでもない。
【０１１８】
また、セルシート４１０にも透明樹脂板４００およびベニヤ板４２０と同様形状の役物設置用開口部４１１がシート加工（例えば、打ち抜き加工、裁断加工など）により形成されている。
【０１１９】
さらに、透明樹脂板４００は、図７，図８に示すように、役物設置用開口部４０１を形成するルータ加工を行う透明樹脂板４００用のルータ加工機の位置決め部としての第１凸部４５０と、釘４３０を打ち付ける後述する釘打ち機の位置決め部としての第２凸部４６０との両方に嵌合する嵌合部としての凹部であって、両嵌合軸心を同一軸心とする共用嵌合凹部４０２を有する突起部４０３を備えている。この突起部４０３は、図７に示すように、透明樹脂板４００の裏面側で、裏面視した状態で右上と左下の２箇所に設けられている。透明樹脂板４００は、樹脂成形品であるため、前述の突起部４０３を一体成形できる。
【０１２０】
透明樹脂板４００の突起部４０３は、図７，図８に示すように、円錐台上に円柱体を結合させた形状となっている。具体的は、突起部４０３は、円錐台と、この円錐台の先細り側の上面に当該上面と同一面積の底面とする円柱体とが結合した形状で、この円柱体の上面側に円筒形の窪みが形成された形状となっている。このように、突起部４０３は、円錐台部分を備えているので、断面視した状態で台形状（テーパ状）となっている。また、突起部４０３は、図８に示すように、その突起高さをベニヤ板４２０の厚みよりも小さくしている。つまり、透明樹脂板４００をベニヤ板４２０に取り付けた状態において、透明樹脂板４００の突起部４０３がベニヤ板４２０の後述する共用嵌合孔４２２から外部に突き出ない構成となっている。
【０１２１】
さらに、ベニヤ板４２０は、図７，図８に示すように、役物設置用開口部４２１を形成するルータ加工を行うベニヤ板４２０用のルータ加工機の位置決め部としての第３凸部４７０と、透明樹脂板４００の突起部４０３との両方に嵌合する嵌合孔であって、両嵌合軸心を同一軸心とする共用嵌合孔４２２（貫通孔）を備えている。この共用嵌合孔４２２は、図７に示すように、透明樹脂板４００の２箇所の突起部４０３に対応するベニヤ板４２０の箇所にそれぞれ形成されており、ベニヤ板４２０を正面視した状態で左上と右下の２箇所に設けられている。この共用嵌合孔４２２は、例えば、ベニヤ板４２０用のルータ加工機でルータ加工により、円筒貫通孔形状に形成されている。
【０１２２】
つまり、本実施例の遊技盤３０では、透明樹脂板４００の突起部４０３とベニヤ板４２０の共用嵌合孔４２２とを一組としたものが複数組（本実施例では２組）備えられている。
【０１２３】
また、セルシート４１０は、ベニヤ板４２０の２箇所の共用嵌合孔４２２に対応する箇所に、透明樹脂板４００の突起部４０３が嵌入される嵌合孔４１２がそれぞれシート加工（例えば、打ち抜き加工など）により形成されている。つまり、セルシート４１０は、透明樹脂板４００の前面側からその装飾表示が視認可能となるように、当該透明樹脂板４００の裏面側で突起部４０３を除く箇所に貼り付けられるものである。
【０１２４】
なお、上述したベニヤ板４２０が本発明における板状部材に相当し、上述した透明樹脂板４００が本発明における薄板部材に相当し、上述したセルシート４１０が本発明における装飾表示部に相当し、上述した共用嵌合凹部４０２が本発明における共用嵌合部に相当する。
【０１２５】
ここで、実施例１の遊技盤３０の要部の製造工程について図９〜図１１も用いて説明する。
【０１２６】
図９は、透明樹脂板４００が載置台ＴＢ２に位置決めされた状態での透明樹脂板４００用のルータ加工機の位置決め部の構成を示す要部断面図である。図１０は、ベニヤ板４２０が載置台ＴＢ１に位置決めされた状態でのベニヤ板４２０用のルータ加工機の位置決め部の構成を示す要部断面図である。図１１は、透明樹脂板４００が重ね合わされたベニヤ板４２０が載置台ＴＢ３に位置決めされた状態での釘打ち機の位置決め部の構成を示す要部断面図である。
【０１２７】
＜透明樹脂板４００の突起部形成工程＞
透明樹脂板４００の突起部形成工程では、役物設置用開口部４０１を形成するルータ加工を行う透明樹脂板４００用のルータ加工機の位置決め部としての第１凸部４５０と、釘４３０を打ち付ける釘打ち機の位置決め部としての第２凸部４６０との両方に嵌合する凹部であって、両嵌合軸心を同一軸心とする共用嵌合凹部４０２を有する突起部４０３を、透明樹脂板４００の所定箇所に形成する。
【０１２８】
具体的には、透明樹脂板４００を樹脂成形により製造する際に、前述の突起部４０３も同時に形成するようにしている。例えば、所定形状の金型中に樹脂を注入し、この樹脂が硬化した後に金型から硬化後の樹脂品を取り外すことで、透明樹脂板４００が製造されるのであるが、この際に前述の突起部４０３も同時に形成されている。
【０１２９】
＜ベニヤ板４２０の共用嵌合孔形成工程＞
一方、ベニヤ板４２０の共用嵌合孔形成工程では、正面視した状態で遊技領域を含む大きさのベニヤ板４２０に対して、役物設置用開口部４２１を形成するルータ加工を行うルータ加工機の位置決め部としての第３凸部４７０と、透明樹脂板４００の突起部４０３との両方に嵌合する嵌合孔であって、両嵌合軸心を同一軸心とする共用嵌合孔４２２を形成する。
【０１３０】
なお、前述の透明樹脂板４００の突起部形成工程およびベニヤ板４２０の共用嵌合孔形成工程は、どちらを先に行っても構わないし、両者を同時に並列的に行ってもよい。
【０１３１】
＜ベニヤ板４２０の第１ルータ加工（開口加工）工程＞
続いて、ベニヤ板４２０の第１ルータ加工（開口加工）工程では、図１０に示すように、ベニヤ板４２０用のルータ加工機の載置台ＴＢ１での位置決め部としての第３凸部４７０にベニヤ板４２０の共用嵌合孔４２２を嵌合させた状態で、ベニヤ板４２０に役物設置用開口部４２１を形成する。つまり、ベニヤ板４２０に第１ルータ加工工程を施すことで、図７に示すように、ベニヤ板４２０の所定箇所に役物設置用開口部４２１が形成される。なお、図１０中において、二点鎖線で示す透明樹脂板４００および破線で示すセルシート４１０を図示することで、ベニヤ板４２０の共用嵌合孔４２２は、ベニヤ板４２０用のルータ加工機の載置台ＴＢ１での位置決め部としての第３凸部４７０と透明樹脂板４００の突起部４０３とに嵌合するものであることを表している。
【０１３２】
＜透明樹脂板４００の第２ルータ加工（開口加工）工程＞
一方、透明樹脂板４００の第２ルータ加工（開口加工）工程では、図９に示すように、透明樹脂板４００用のルータ加工機の載置台ＴＢ２での位置決め部としての第１凸部４５０に透明樹脂板４００の共用嵌合凹部４０２を嵌合させた状態で、透明樹脂板４００に役物設置用開口部４０１を形成する。つまり、透明樹脂板４００に第２ルータ加工工程を施すことで、図７に示すように、透明樹脂板４００の所定箇所に役物設置用開口部４０１が形成される。
【０１３３】
なお、前述のベニヤ板４２０の第１ルータ加工工程および透明樹脂板４００の第２ルータ加工工程は、どちらを先に行っても構わないし、それぞれのルータ加工機で同時に並列的に行ってもよい。
【０１３４】
＜透明樹脂板４００とベニヤ板４２０との重ね合わせ工程＞
まず、図７，図８に示すように、セルシート４１０の嵌合孔４１２に透明樹脂板４００の突起部４０３を嵌入させることでセルシート４１０と透明樹脂板４００とを適正に重ね合わせて、セルシート４１０の前面側に形成された接着剤層により透明樹脂板４００にセルシート４１０が貼り付けられる。
【０１３５】
続いて、セルシート４１０を貼り付けた透明樹脂板４００とベニヤ板４２０との重ね合わせ工程では、図８に示すように、透明樹脂板４００の突起部４０３とベニヤ板４２０の共用嵌合孔４２２とを嵌合させるようにして透明樹脂板４００とベニヤ板４２０とを重ね合わせる。つまり、透明樹脂板４００とベニヤ板４２０との間には、セルシート４１０が位置している。
【０１３６】
＜釘打ち工程＞
続いて、釘打ち工程では、重ね合わせ工程で重ね合わされた透明樹脂板４００の共用嵌合凹部４０２に釘打ち機の載置台ＴＢ３（テーブル）での位置決め部としての第２凸部４６０を嵌合させた状態で、透明樹脂板４００の前面側から釘先がベニヤ板４２０に達するように釘４３０を打ち付ける。
【０１３７】
つまり、重ね合わせ工程で透明樹脂板４００が重ね合わされたベニヤ板４２０を、図１１に示すように、その裏面側が釘打ち機の載置台ＴＢ３に載置し、かつ、透明樹脂板４００の突起部４０３の共用嵌合凹部４０２に釘打ち機の載置台ＴＢ３での位置決め部としての第２凸部４６０を嵌合させた状態とする。具体的には、釘打ち機の載置台ＴＢ３面に間隔を空けて配置されている２本の第２凸部４６０（位置決め用のボス、突起ピン）を、この第２凸部４６０に対応する透明樹脂板４００の２箇所の突起部４０３の共用嵌合凹部４０２に嵌入させるようにして、透明樹脂板４００を重ね合わせたベニヤ板４２０が釘打ち機の載置台ＴＢ３に載置される。このようにした状態で、釘打ち機により、釘４３０が所定箇所に打ち付けられ、釘４３０は、透明樹脂板４００を貫通してベニヤ板４２０に釘先が達するように打ち付けられる。
【０１３８】
図１１に示すように、釘４３０は、ベニヤ板４２０の前面側にこの透明樹脂板４００が重ね合わされた状態で、透明樹脂板４００の方から当該透明樹脂板４００を貫通してベニヤ板４２０に打ち付けられており、この打ち付け状態の当該釘４３０は、透明樹脂板４００およびベニヤ板４２０に接触しており、透明樹脂板４００とベニヤ板４２０とはこの釘４３０により固定されている。
【０１３９】
なお、釘打ち機は、ベニヤ板４２０のどの箇所に釘４３０を打ち付けていくのかを予めデータとして持っており、ベニヤ板４２０の所定箇所に釘４３０を順次に打ち付けていくことができるようになっている。
【０１４０】
上述したように、本実施例１のパチンコ機１０によれば、遊技球が打ち込まれる遊技領域を有する遊技盤３０は、正面視した状態で遊技領域を含む大きさのベニヤ板４２０と、このベニヤ板４２０の前面側で当該ベニヤ板４２０の遊技領域を少なくとも覆うようにしてこのベニヤ板４２０に重ね合わされる、光透過性の透明樹脂板４００と、を備え、かつ、透明樹脂板４００がベニヤ板４２０に重ね合わされた状態で、遊技領域を流下する遊技球の挙動に変化を与えるための釘４３０が透明樹脂板４００の前面側から打ち付け固定されるものであり、透明樹脂板４００は、役物（センターフレーム４７や第１の始動口３３など）を設置するための遊技領域の開口部である役物設置用開口部４０１を形成するルータ加工を行う透明樹脂板４００用のルータ加工機の位置決め部としての第１凸部４５０と、釘４３０を打ち付ける釘打ち機の位置決め部としての第２凸部４６０との両方に嵌合する凹部であって、両嵌合軸心を同一軸心とする共用嵌合凹部４０２を有する突起部４０３を備え、ベニヤ板４２０は、役物設置用開口部４２１を形成するルータ加工を行うベニヤ板４２０用のルータ加工機の位置決め部としての第３凸部４７０と、透明樹脂板４００の突起部４０３との両方に嵌合する嵌合孔であって、両嵌合軸心を同一軸心とする共用嵌合孔４２２を備えているので、透明樹脂板４００は、当該透明樹脂板４００の共用嵌合凹部４０２に透明樹脂板４００用のルータ加工機の位置決め部としての第１凸部４５０を嵌合させた状態で、役物設置用開口部４０１を形成するルータ加工が透明樹脂板４００用のルータ加工機により行われる。また、透明樹脂板４００は、その突起部４０３をベニヤ板４２０の共用嵌合孔４２２に嵌合させるようにしてベニヤ板４２０に合わされた状態で、かつ、釘打ち機の位置決め部としての第２凸部４６０をベニヤ板４２０の共用嵌合孔４２２を介して当該透明樹脂板４００の共用嵌合凹部４０２に嵌合させた状態で、釘打ち機により透明樹脂板４００の前面側に釘が打ち付けられるので、透明樹脂板４００用のルータ加工機の位置合わせ基準軸と釘打ち機の位置合わせ基準軸とを同一軸線とすることができる。つまり、両基準軸を透明樹脂板４００での共用嵌合凹部４０２の嵌合軸線と同一にして、透明樹脂板４００のルータ加工および釘打ちを行うことができ、透明樹脂板４００における役物設置用開口部４０１と釘４３０との位置関係のずれを低減できる。
【０１４１】
さらに、ベニヤ板４２０は、当該ベニヤ板４２０の共用嵌合孔４２２にベニヤ板４２０用のルータ加工機の位置決め部としての第３凸部４７０を嵌合させた状態で、役物設置用開口部４２１を形成するルータ加工がベニヤ板４２０用のルータ加工機により行われるし、また、この共用嵌合孔４２２に透明樹脂板４００の突起部４０３を嵌合させた状態で、前述したように釘打ち機により透明樹脂板４００の前面側への釘の打ち付けが行われるので、ベニヤ板４２０用のルータ加工機の位置合わせ基準軸と透明樹脂板４００の基準軸たる共用嵌合凹部４０２の嵌合軸とを同一軸線とすることができる。つまり、両基準軸をベニヤ板４２０での共用嵌合孔４２２の嵌合軸線と同一にして、ベニヤ板４２０のルータ加工および透明樹脂板４００の前面側への釘打ちを行うことができ、ベニヤ板４２０における役物設置用開口部４２１と透明樹脂板４００の前面側への釘４３０との位置関係のずれも低減できる。
【０１４２】
その結果、釘打ち工程よりも前に行われたルータ加工工程での役物設置用開口部に対する釘４３０の位置関係を適正なものとすることができ、高精度に釘４３０が植設された遊技盤３０を製造でき、高精度に釘４３０が植設された遊技盤３０を有するパチンコ機１０を提供することができる。
【０１４３】
また、透明樹脂板４００の突起部４０３は、その突起高さをベニヤ板４２０の厚みよりも小さくしているので、透明樹脂板４００の突起部４０３がベニヤ板４２０の共用嵌合孔４２２に嵌合された状態において、ベニヤ板４２０の裏面側から外部に突出することなく、ベニヤ板４２０の厚み内に留まった状態であり、透明樹脂板４００の突起部４０３が邪魔になることがない。つまり、透明樹脂板４００の突起部４０３がベニヤ板４２０の裏面側から外部に突出する場合には、その外部に出ている部分が邪魔になり、それを削除するなどの処理が必要になるが、透明樹脂板４００の突起部４０３がベニヤ板４２０の厚み内に留まっているので、邪魔にならないし、前記の削除処理なども不要にできる。
【０１４４】
また、透明樹脂板４００の突起部４０３とベニヤ板４２０の共用嵌合孔４２２とを一組としたものを複数組（本実施例では２組）備えているので、透明樹脂板４００用のルータ加工機の複数個（２個）の位置決め部としての第１凸部４５０と、それと対応する位置関係にある、透明樹脂板４００の複数個の突起部４０３の共用嵌合凹部４０２とを嵌合させることで、透明樹脂板４００のルータ加工時の位置決めを高精度に行うことができる。また、ベニヤ板４２０用のルータ加工機の２個の位置決め部としての第３凸部４７０と、それと対応する位置関係にある、ベニヤ板４２０の２個の共用嵌合孔４２２とを嵌合させることでベニヤ板４２０のルータ加工時の位置決めを高精度に行うことができる。また、透明樹脂板４００の２個の突起部４０３と、それに対応する位置関係にある、ベニヤ板４２０の２個の共用嵌合孔４２２とを嵌合させることで、透明樹脂板４００とベニヤ板４２０との重ね合わせ時の両者の位置決めを高精度に行うことができる。また、このように透明樹脂板４００と重ね合わされたベニヤ板４２０の２個の共用嵌合孔４２２と、それに対応する位置関係にある、釘打ち機の２個の位置決め部としての第２凸部４６０とを嵌合させることで、透明樹脂板４００と重ね合わされた状態のベニヤ板４２０の釘打ち付け時の位置決めを高精度に行うことができる。
【０１４５】
また、透明樹脂板４００の突起部４０３とベニヤ板４２０の共用嵌合孔４２２とを一組とし、それを複数組備えている場合において、各突起部４０３間の距離が微小レベルでずれがあったとしても、透明樹脂板４００の各突起部４０３間の位置ずれを許容することができ、透明樹脂板４００とベニヤ板４２０とを重ね合わせることができる。
【０１４６】
また、セルシート４１０は、パチンコ機を表すための表示または遊技領域を装飾するための表示を有するものであり、透明樹脂板４００およびベニヤ板４２０とは別体であり、透明樹脂板４００の前面側から視認可能に当該透明樹脂板４００の裏面側で突起部４０３を除く箇所に貼り付けられるものとしており、透明樹脂板４００とセルシート４１０とが密着しているので、以下の点で優れている。すなわち、透明樹脂板４００の裏面側に単にセルシート４１０を合わせるというだけでは、透明樹脂板４００の裏面側からセルシート４１０の少なくとも一部が離間したままで透明樹脂板４００の裏面側にセルシート４１０が設けられることがあり、この場合には、遊技盤３０を正面視して見ると、当該離間部分の表示がぼける（セルシート４１０の離間部分と密着部分とで透明樹脂板４００への光入射率に差が生じる）という問題があるが、本実施例によればこのような問題を解消できる。つまり、透明樹脂板４００とセルシート４１０とが密着しており、透明樹脂板４００の裏面側でセルシート４１０が離間する部分が全くないので、前述したような離間部分の表示のぼけが生じない。
【０１４７】
また、透明樹脂板４００とベニヤ板４２０との間に、遊技機を表すための表示としてのパチンコ機１０の機種名を表示する表示部分と、遊技領域を装飾するために当該機種の特徴（あるいは個性）で装飾表示する表示部分とが描画（印刷）されたものであるセルシート４１０を備えているので、遊技球は透明樹脂板４００の前面側を流下し、それとは反対側の透明樹脂板４００の裏面側にセルシート４１０が位置することになり、透明樹脂板４００の裏面側に設けられたセルシート４１０に遊技球が接触等したりすることがなく、セルシート４１０を保護することができる。
【０１４８】
また、遊技盤３０は、釘４３０が前面側に打ち付け固定されるベニヤ板４２０の前面側に透明樹脂板４００を重ね合わせたものであり、釘４３０は、ベニヤ板４２０の前面側にこの透明樹脂板４００が重ね合わされた状態で、透明樹脂板４００の方から当該透明樹脂板４００を貫通してベニヤ板４２０に打ち付けられており、この打ち付け状態の当該釘４３０は、透明樹脂板４００およびベニヤ板４２０に接触しており、透明樹脂板４００とベニヤ板４２０とはこの釘４３０により固定されているので、透明樹脂板４００とベニヤ板４２０とを固定する専用の固定具を不要にすることができ、部品点数を削減することができる。
【０１４９】
また、透明樹脂板４００は、透過性樹脂で構成された透明の薄板状の部材であるので、透過性樹脂を用いることで透明の薄板状の部材を好適に製造することができる。
【実施例２】
【０１５０】
次に、実施例２のパチンコ機１０について図１２を用いて説明する。図１２は実施例２の遊技盤３０についての釘打ち工程前の道孔形成工程を示す図である。
【０１５１】
本実施例２での遊技盤３０の製造工程において、道孔形成工程を経てから釘打ち工程を行う点が、前述の実施例１とは異なっている。なお、前述の実施例１と同様の内容については説明を省略し、以下に、道孔形成工程について詳細に説明することとする。
【０１５２】
なお、透明樹脂板４００とベニヤ板４２０との重ね合わせ工程が終了するまでは、前述の実施例１と同様であるため、当該重ね合わせ工程完了後から以下に説明する。
【０１５３】
図１２に示すように、重ね合わせ工程で透明樹脂板４００が重ね合わされたベニヤ板４２０を、その裏面側が釘打ち機の載置台ＴＢ３（テーブル）に載置し、かつ、透明樹脂板４００の突起部４０３の共用嵌合凹部４０２に釘打ち機の位置決め部としての第２凸部４６０を嵌合させた状態とする。
【０１５４】
具体的には、釘打ち機の載置台ＴＢ３面に間隔を空けて配置されている２本の第２凸部４６０（位置決め用のボス、突起ピン）を、この第２凸部４６０に対応する透明樹脂板４００の２箇所の突起部４０３の共用嵌合凹部４０２に嵌入させるようにして、透明樹脂板４００を重ね合わせたベニヤ板４２０が釘打ち機の載置台に載置される。
【０１５５】
釘打ち機は、穴あけ機能（例えばドリルによる穴あけ）を備えたものであり、釘打ち機により釘４３０を打ち付けようとする透明樹脂板４００の所定箇所に予め道孔４０４をあける。つまり、図１２に示すように、重ね合わせ工程で透明樹脂板４００が重ね合わされたベニヤ板４２０が釘打ち機の載置台ＴＢ３に載置された状態において、釘打ち機により釘４３０を打ち付けようとする透明樹脂板４００の所定箇所に、ドリルにより道孔４０４をあけるという道孔形成工程を施す。図１２に示すように、道孔４０４は、釘４３０の胴の直径ｒ１よりも小さい直径ｒ２となっている。
【０１５６】
道孔形成工程後に引き続いて釘打ち機により実施例１の釘打ち工程を行う。つまり、釘打ち機により、釘４３０が所定箇所に打ち付けられ、釘４３０は、透明樹脂板４００を貫通してベニヤ板４２０に釘先が達するように打ち付けられる。
【０１５７】
上述したように、本実施例２のパチンコ機１０によれば、前述の実施例１の釘打ち付け力よりも小さい力で釘４３０の打ち付けを行うことができるし、釘打ち機の載置台に載置したままで道孔形成工程と釘打ち工程とが行われるので、道孔４０４と釘打ち箇所とがずれることを低減できる。
【実施例３】
【０１５８】
次に、実施例３のパチンコ機１０について図１３〜図１６を用いて説明する。図１３は実施例３の遊技盤３０の要部箇所の断面図である。図１４は、実施例３での透明樹脂板４００が載置台ＴＢ２に位置決めされた状態での透明樹脂板４００用のルータ加工機の位置決め部の構成を示す要部断面図である。図１５は、実施例３でのベニヤ板４２０が載置台ＴＢ１に位置決めされた状態でのベニヤ板４２０用のルータ加工機の位置決め部の構成を示す要部断面図である。図１６は、透明樹脂板４００が重ね合わされたベニヤ板４２０が載置台ＴＢ３に位置決めされた状態での釘打ち機の位置決め部の構成を示す要部断面図である。
【０１５９】
前述の実施例１の遊技盤３０では、その透明樹脂板４００の突起部４０３に共用嵌合部としての共用嵌合凹部４０２を設けているが、この共用嵌合凹部４０２に替えて、本実施例３の遊技盤３０では、透明樹脂板４００の突起部４０３に共用嵌合部としての共用嵌合凸部４０５を設けている点が、前述の実施例１とは主に異なっている。なお、前述の実施例１と同様の内容については説明を省略し、以下に、透明樹脂板４００の突起部４０３の共用嵌合凸部４０５などについて詳細に説明することとする。
【０１６０】
なお、前述したように透明樹脂板４００の突起部４０３の共用嵌合凹部４０２に替えて共用嵌合凸部４０５を採用していることから、本実施例３では、当然に、前述の実施例１での透明樹脂板４００用のルータ加工機の位置決め部としての第１凸部４５０に替えて第１凹部４５２を採用し、前述の実施例１での釘打ち機の位置決め部としての第２凸部４６０に替えて第２凹部４６２を採用している。
【０１６１】
図１４，図１６に示すように、透明樹脂板４００の突起部４０３は、役物設置用開口部４０１を形成するルータ加工を行う透明樹脂板４００用のルータ加工機の位置決め部としての第１凹部４５２（図１４参照）と、釘４３０を打ち付ける後述する釘打ち機の位置決め部としての第２凹部４６２（図１６参照）との両方に嵌合する嵌合部としての凸部であって、両嵌合軸心を同一軸心とする共用嵌合凸部４０５を有している。この突起部４０３は、前述の実施例１と同様に、図７に示すように、透明樹脂板４００の裏面側で、裏面視した状態で右上と左下の２箇所に設けられている。透明樹脂板４００は、樹脂成形品であるため、前述の突起部４０３を一体成形できる。
【０１６２】
さらに、ベニヤ板４２０の共用嵌合孔４２２（貫通孔）は、図１５に示すように、役物設置用開口部４２１を形成するルータ加工を行うベニヤ板４２０用のルータ加工機の位置決め部としての第３凸部４７０と、透明樹脂板４００の突起部４０３との両方に嵌合する嵌合孔であって、両嵌合軸心を同一軸心とするものである。この共用嵌合孔４２２は、前述の実施例１と同様に、図７に示すように、透明樹脂板４００の２箇所の突起部４０３に対応するベニヤ板４２０の箇所にそれぞれ形成されており、ベニヤ板４２０を正面視した状態で左上と右下の２箇所に設けられている。この共用嵌合孔４２２は、例えば、ベニヤ板４２０用のルータ加工機でルータ加工により、円筒貫通孔形状に形成されている。
【０１６３】
透明樹脂板４００の突起部４０３は、図１３，図１６に示すように、第１円錐台上にそれよりも小さい第２円錐台を結合させた二段円錐台形状となっている。具体的は、突起部４０３は、第１円錐台と、この第１円錐台の先細り側の上面に当該上面と同一面積の底面とする第２円錐台とが結合した形状となっている。このように、突起部４０３は、第１円錐台を備えているので、断面視した状態で台形状（テーパ状）となっている。また、突起部４０３は、図１３に示すように、その突起高さをベニヤ板４２０の厚みよりも小さくしている。つまり、透明樹脂板４００をベニヤ板４２０に取り付けた状態において、透明樹脂板４００の突起部４０３がベニヤ板４２０の共用嵌合孔４２２から外部に突き出ない構成となっている。
【０１６４】
なお、上述した構成の違い以外については前述の実施例１と同様であり、前述の実施例１で説明した製造方法により遊技盤３０が製造される。
【０１６５】
上述したように、本実施例３のパチンコ機１０によれば、透明樹脂板４００の突起部４０３の共用嵌合部は、役物設置用開口部４０１を形成するルータ加工を行うルータ加工機の位置決め部である第１凹部４５２と、釘を打ち付ける釘打ち機の位置決め部である第２凹部４６２との両方に嵌合する凸部であって、両嵌合軸心を同一軸心とする共用嵌合凸部４０５としているので、共用嵌合部を上述した共用嵌合凸部４０５とした場合でも、前述の実施例１と同様の効果を有する。
【実施例４】
【０１６６】
次に、実施例４のパチンコ機１０について図１７を用いて説明する。図１７は実施例４の遊技盤３０での突起部４０３の部分を示す部分断面図である。
【０１６７】
実施例４の遊技盤３０では、その遊技盤３０での突起部４０３の部分を視認部４８０として用い、この視認部４８０を通して裏面側の所定箇所を視認確認可能とする点が、前述の実施例１〜３とは異なっている。なお、前述の実施例１〜３と同様の内容については説明を省略し、以下に、遊技盤３０の突起部４０３の部分について詳細に説明することとする。
【０１６８】
図１７に示すように、ベニヤ板４２０の裏面側で突起部４０３の対応する箇所に、遊技の所定の制御を行う制御手段としての主制御装置２６１の主制御基板４９１（主基板）を被包する収納ケース４９２を封緘するかしめ部４９５が位置するようにしている。
【０１６９】
具体的には、主制御基板４９１は、図５に示したＣＰＵ５０１やＲＯＭ５０２やＲＡＭ５０３など、各種のＩＣなどの電気部品が実装されたものである。収納ケース４９２は、有底箱状の容器４９３とその蓋部４９４とで構成されており、有底箱状の容器４９３内の所定位置に主制御基板４９１を取り付け、蓋部４９４で蓋をすることで、外部から主制御基板４９１に接触することができないようになっている。この収納ケース４９２の一端側には、かしめ部４９５が形成されており、このかしめ部４９５をかしめることで、収納ケース４９２を封緘することができ、当該かしめ部４９５を破壊しなければ収納ケース４９２の封緘が解除できないものである。
【０１７０】
図１７に示すように、透明樹脂板４００は透明部材であり、その突起部４０３以外の箇所にセルシート４１０が貼り付けられており、透明樹脂板４００の突起部４０３が嵌合するベニヤ板４２０の共用嵌合孔４２２は貫通孔としているので、遊技盤３０を正面視すると、この遊技盤３０の共用嵌合孔４２２の箇所は、遊技盤３０の裏面側を見ることのできる視認部４８０となっている。視認部４８０の存する箇所にかしめ部４９５が位置するように収納ケース４９２が遊技盤３０の裏面側に設置されていることから、遊技盤３０の前面側から視認部４８０を通して遊技盤３０の裏面側のかしめ部４９５を見ることができる。
【０１７１】
なお、上述した主制御基板４９１が本発明における制御手段に相当し、上述した収納ケース４９２が本発明における被包手段に相当し、上述したかしめ部４９５が本発明における封緘手段に相当する。
【０１７２】
上述したように、本実施例４のパチンコ機１０によれば、ベニヤ板４２０の裏面側で突起部４０３の対応する箇所に、遊技の所定の制御を行う主制御基板４９１を被包する収納ケース４９２を封緘するかしめ部４９５が位置するようにしているので、透明樹脂板４００の突起部４０３の箇所がベニヤ板４２０の裏面側が見えるという視認部４８０となっている。つまり、透明樹脂板４００が光透過性で形成されていることから、その突起部４０３も光透過性であり、この突起部４０３はベニヤ板４２０の共用嵌合孔４２２に嵌合されているので、遊技盤３０を正面視した状態で透明樹脂板４００の突起部４０３の箇所たる視認部４８０を通して、ベニヤ板４２０の裏面側のかしめ部４９５を見ることができ、主制御基板４９１を被包する収納ケース４９２の不正開封などを遊技盤３０を開く、つまり、図２に示すように内枠１２を片開きすることなく発見でき、不正行為を低減することができる。
【０１７３】
この発明は、上記実施形態に限られることはなく、下記のように変形実施することができる。
【０１７４】
（１）上述した各実施例では、板状部材としてベニヤ板４２０を採用しているが、ベニヤ板４２０と同様の密度の板状部材を採用するようにしてもよいし、種々の材木などを採用してもよい。
【０１７５】
（２）上述した各実施例では、透明樹脂板４００を採用しているが、少なくとも一部が半透明である薄板を採用するようにしてもよいし、セルシート４１０の視認性を許容できる範囲内の透過性のもので着色された薄板を採用するようにしてもよい。
【０１７６】
（３）上述した各実施例では、透明樹脂板４００は遊技領域の全体を覆うものとしているが、遊技領域の少なくとも一部を覆うものとしてもよい。
【０１７７】
（４）上述した各実施例では、セルシート４１０を採用しているが、透明樹脂板４００の裏面側あるいはベニヤ板４２０の前面側に直接に、遊技機を表すための表示や遊技領域を装飾するための表示を描画（印刷）などしたものを採用してもよい。特に、透明樹脂板４００の裏面側に直接に、遊技機を表すための表示や遊技領域を装飾するための表示（装飾表示部）を描画（印刷）などした場合には、透明樹脂板４００と描画（印刷）表示とが密着しているので、以下の点で優れている。すなわち、透明樹脂板４００の裏面側に単に装飾表示部を合わせるというだけでは、透明樹脂板４００の裏面側から装飾表示部の少なくとも一部が離間したままで透明樹脂板４００の裏面側に装飾表示部が設けられることがあり、この場合には、遊技盤３０を正面視して見ると、当該離間部分の表示がぼける（装飾表示部の離間部分と密着部分とで薄板部材への光入射率に差が生じる）という問題があるが、本変形例によればこのような問題を解消できる。つまり、透明樹脂板４００と描画（印刷）表示（装飾表示部）とが密着しており、透明樹脂板４００の裏面側で描画（印刷）表示が離間する部分が全くないので、前述したような離間部分の表示のぼけが生じない。
【０１７８】
（５）上述した各実施例において、突起部４０３の断面形状を台形状としているが、矩形状、面取り加工した矩形状などとしてもよい。また、実施例３での第２円錐台を円柱形状としてもよい。
【０１７９】
（６）上述した各実施例において、前述の実施例での透明樹脂板４００の突起部４０３の部分を、図１８に示すように、当該透明樹脂板４００とは別体の突起部４０３としてもよい。この別体とした突起部４０３は、その外形にねじ山が切られており、透明樹脂板４００のネジ孔に螺入させて固定するようにしてもよい。
【０１８０】
（７）上述した実施例４において、封緘手段として、当該かしめ部４９５が破壊されることで、収納ケース４９２の封緘が解除できるものを採用しているが、封印シールなど開封またはそのおそれが確認できる部材を採用するようにしてもよい。また、ベニヤ板４２０の裏面側で突起部４０３の対応する箇所に、遊技の所定の制御を行う主制御基板４９１の実装部品（例えば、ＣＰＵやＲＡＭやＲＯＭ）の上面（半田面ではない側の面）が視認できるように位置するようにしてもよい。この場合には、遊技盤３０を正面視した状態で透明樹脂板４００の突起部４０３の箇所たる視認部４８０を通して、ベニヤ板４２０の裏面側の例えば主制御基板４９１の実装部品（例えば、ＣＰＵやＲＡＭやＲＯＭ）の上面を見ることができ、実装部品に対する不正行為（例えば、実装部品の不正品への交換や、不正配線など）などを遊技盤３０を開く、つまり、図２に示すように内枠１２を片開きすることなく発見でき、不正行為を低減することができる。
【０１８１】
（８）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１８２】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８３】
以上のように、この発明は、パチンコ機やスロットマシン等の遊技機に適している。
【図面の簡単な説明】
【０１８４】
【図１】本発明の実施例のパチンコ機の概略正面図である。
【図２】内枠及び前面枠セットを開放した状態のパチンコ機を示す斜視図である。
【図３】前面枠セットを開放した状態における内枠等を示す正面図である。
【図４】遊技盤の構成を示す正面図である。
【図５】パチンコ機の電気的構成を示すブロック図である。
【図６】第１図柄表示装置の表示内容を示す説明図である。
【図７】実施例１の遊技盤の要部構成を示す分解斜視図である。
【図８】実施例１の遊技盤の要部箇所の断面図である。
【図９】透明樹脂板が載置台に位置決めされた状態での透明樹脂板用のルータ加工機の位置決め部の構成を示す要部断面図である。
【図１０】ベニヤ板が載置台に位置決めされた状態でのベニヤ板用のルータ加工機の位置決め部の構成を示す要部断面図である。
【図１１】透明樹脂板が重ね合わされたベニヤ板が載置台に位置決めされた状態での釘打ち機の位置決め部の構成を示す要部断面図である。
【図１２】実施例２の遊技盤についての釘打ち工程前の道孔形成工程を示す図である。
【図１３】実施例３の遊技盤の要部箇所の断面図である。
【図１４】実施例３での透明樹脂板が載置台に位置決めされた状態での透明樹脂板用のルータ加工機の位置決め部の構成を示す要部断面図である。
【図１５】実施例３でのベニヤ板が載置台に位置決めされた状態でのベニヤ板用のルータ加工機の位置決め部の構成を示す要部断面図である。
【図１６】透明樹脂板が重ね合わされたベニヤ板が載置台に位置決めされた状態での釘打ち機の位置決め部の構成を示す要部断面図である。
【図１７】実施例４の遊技盤での突起部の部分を示す部分断面図である。
【図１８】変形例の遊技盤の要部箇所の断面図である。
【符号の説明】
【０１８５】
４００  …透明樹脂板（薄板部材）
４０１  …役物設置用開口部
４０２  …共用嵌合凹部（共用嵌合部）
４０３  …突起部
４０５  …共用嵌合凸部（共用嵌合部）
４１０  …セルシート（装飾表示部）
４２０  …ベニヤ板（板状部材）
４２１  …役物設置用開口部
４２２  …共用嵌合孔
４３０  …釘
４９５  …かしめ部（封緘手段）
【図１】
2006212316.tif 000003
【図２】
2006212316.tif 000004
【図３】
2006212316.tif 000005
【図４】
2006212316.tif 000006
【図５】
2006212316.tif 000007
【図６】
2006212316.tif 000008
【図７】
2006212316.tif 000009
【図８】
2006212316.tif 000010
【図９】
2006212316.tif 000011
【図１０】
2006212316.tif 000012
【図１１】
2006212316.tif 000013
【図１２】
2006212316.tif 000014
【図１３】
2006212316.tif 000015
【図１４】
2006212316.tif 000016
【図１５】
2006212316.tif 000017
【図１６】
2006212316.tif 000018
【図１７】
2006212316.tif 000019
【図１８】
2006212316.tif 000020